(57)【要約】【課題】いずれかの画素が表示する階調が周期的に変化する現象を抑えること。【解決手段】液晶表示装置は、映像信号線と、前記映像信号線に接続される複数の画素回路と、前記映像信号線に接続され、前記複数の画素回路の表示階調を示す映像信号を順に出力する映像信号線駆動回路と、前記複数の画素回路に対して走査信号を供給するゲート線駆動回路と、を含む。前記ゲート線駆動回路がいずれかの画素回路に走査信号を供給する期間は、１つ前のフレームにおいて前記複数の画素回路のうちいずれかに対して供給される映像信号の極性と、現在のフレームにおける前記極性とが異なる場合は当該画素回路に対する映像信号が出力される第１の期間であり、１つ前のフレームにおける前記極性と現在のフレームにおける前記極性とが同じ場合は前記第１の期間とその前に異極性の映像信号が供給される第２の期間とである。【選択図】図８
2014178438.tif 000002
【特許請求の範囲】
【請求項１】
映像信号線と、
前記映像信号線に接続される複数の画素回路と、
前記映像信号線に接続され、前記複数の画素回路の表示階調を示す映像信号を順に出力する映像信号線駆動回路と、
前記複数の画素回路にそれぞれ接続される複数のゲート線と、
前記複数のゲート線のそれぞれに対して、当該ゲート線に接続される画素回路に前記映像信号を記憶させる走査信号を供給するゲート線駆動回路と、
を含み、
前記ゲート線駆動回路は、１つ前のフレームにおいて前記複数の画素回路のうちいずれかに対して供給される映像信号の極性と、現在のフレームにおいて当該画素回路に対して供給される映像信号の極性とが異なる場合に、現在のフレームにおける当該画素回路に対する映像信号が供給される第１の期間に当該画素回路に対して走査信号を供給し、
前記ゲート線駆動回路は、１つ前のフレームにおいて前記複数の画素回路のうちいずれかに対して供給される映像信号の極性と、現在のフレームにおいて当該画素回路に対して供給される映像信号の極性とが同じ場合に、前記第１の期間と、前記第１の期間より前に他の画素回路に対して異極性の映像信号が供給される第２の期間と、に当該画素回路に対して走査信号を供給する、
ことを特徴とする液晶表示装置。
【請求項２】
いずれかのフレームにおいて、前記映像信号線駆動回路は前記映像信号線に出力する映像信号の極性を水平期間ごとに反転させ、
前記ゲート線駆動回路は、１つ前のフレームにおいて前記複数の画素回路のうちいずれかに対して供給される映像信号の極性と、現在のフレームにおいて当該画素回路に対して供給される映像信号の極性とが同じ場合に、当該画素回路に対する映像信号が供給される第１の期間と前記第１の期間の直前に他の画素回路に対して映像信号が供給される第２の期間と、に当該画素回路に対して走査信号を供給する、
ことを特徴とする請求項１に記載の液晶表示装置。
【請求項３】
前記映像信号線駆動回路は、長周期反転期間が経過した直後のフレームでは、任意の画素回路に対して現在のフレームに供給する映像信号の極性を、１つ前のフレームに供給する映像信号の極性と同じとし、前記長周期反転期間が経過した直後以外のフレームでは、任意の画素回路に対して現在のフレームに供給する映像信号の極性を、１つ前のフレームに供給する映像信号の極性と異ならせ、
前記長周期反転期間は周期的に繰り返される期間であって、予め定められた２以上の数のフレームに相当する期間である、
ことを特徴とする請求項１または２に記載の液晶表示装置。
【発明の詳細な説明】
【技術分野】
【０００１】
本発明は液晶表示装置、特に映像信号線に供給する映像信号の極性をあるフレーム内で反転させる液晶表示装置に関する。
【背景技術】
【０００２】
液晶表示装置は、画素回路に含まれる画素電極と対向電極との間に生じる電界により画素の階調を制御している。また、ある階調を表示させる画素電極の電圧は、正極性の電圧と負極性の電圧との２種類が存在する。ここで、正極性の電圧は対向電極の電圧より高い電圧であり、負極性の電圧は対向電極の電圧より低い電圧である。ここで、液晶表示装置に用いられる液晶に一定の期間より長く、ある極性の電圧が印加されると画素電極の電圧と階調との関係が崩れてしまうこと（残像現象）が知られている。そのため、フレームごとに画素電極に印加する電圧の極性を反転させることが行われている。
【０００３】
また、単にフレームごとに電圧の極性を反転させるだけでは残像現象を防ぐことが難しいことも知られている。例えば、横方向に１ドットおきに並ぶ縦のラインがある速度で左右方向にスクロールする場合には、ある画素回路の画素電極に印加される電圧の平均が対向電極の電圧と異なってしまうため、残像現象が生じることがある。これに対応するために、各画素回路に印加する電圧の極性を複数のフレームに相当する期間が経過するごとにさらに反転させることが行われている。
【先行技術文献】
【特許文献】
【０００４】
【特許文献１】特開２００７−２２５８６１号公報
【発明の概要】
【発明が解決しようとする課題】
【０００５】
上述のように複数のフレームに相当する期間（以下では長周期反転期間と記載する）が経過するごとに画素電極に印加する電圧の極性をさらに反転させると、その長周期反転期間が経過するごとに１つ前のフレームと現在のフレームとの間で画素電極に印加される映像信号の極性が同じになる。
【０００６】
すると、上述の横方向に１ドットおきに並ぶ縦のラインがある速度で左右方向にスクロールする場合などに、周期的に画素電極に印加される電圧と対向電圧の電圧との差の絶対値が本来の値より大きくなってしまうことがあった。このため、例えば周期的に階調が強調されるフラッシングのような現象が発生していた。
【０００７】
本発明は上記課題を鑑みてなされたものであって、その目的は、表示される階調が周期的に変化する現象を抑えることのできる液晶表示装置を提供することにある。
【課題を解決するための手段】
【０００８】
本出願において開示される発明のうち、代表的なものの概要を簡単に説明すれば、以下
の通りである。
【０００９】
（１）映像信号線と、前記映像信号線に接続される複数の画素回路と、前記映像信号線に接続され、前記複数の画素回路の表示階調を示す映像信号を順に出力する映像信号線駆動回路と、前記複数の画素回路にそれぞれ接続される複数のゲート線と、前記複数のゲート線のそれぞれに対して、当該ゲート線に接続される画素回路に前記映像信号を記憶させる走査信号を供給するゲート線駆動回路と、を含み、前記ゲート線駆動回路は、１つ前のフレームにおいて前記複数の画素回路のうちいずれかに対して供給される映像信号の極性と、現在のフレームにおいて当該画素回路に対して供給される映像信号の極性とが異なる場合に、現在のフレームにおける当該画素回路に対する映像信号が供給される第１の期間に当該画素回路に対して走査信号を供給し、前記ゲート線駆動回路は、１つ前のフレームにおいて前記複数の画素回路のうちいずれかに対して供給される映像信号の極性と、現在のフレームにおいて当該画素回路に対して供給される映像信号の極性とが同じ場合に、前記第１の期間と、前記第１の期間より前に他の画素回路に対して異極性の映像信号が供給される第２の期間と、に当該画素回路に対して走査信号を供給する、ことを特徴とする液晶表示装置。
【００１０】
（２）（１）において、いずれかのフレームにおいて、前記映像信号線駆動回路は前記映像信号線に出力する映像信号の極性を水平期間ごとに反転させ、前記ゲート線駆動回路は、１つ前のフレームにおいて前記複数の画素回路のうちいずれかに対して供給される映像信号の極性と、現在のフレームにおいて当該画素回路に対して供給される映像信号の極性とが同じ場合に、当該画素回路に対する映像信号が供給される第１の期間と前記第１の期間の直前に他の画素回路に対して映像信号が供給される第２の期間と、に当該画素回路に対して走査信号を供給する、ことを特徴とする液晶表示装置。
【００１１】
（３）（１）または（２）において、前記映像信号線駆動回路は、長周期反転期間が経過した直後のフレームでは、任意の画素回路に対して現在のフレームに供給する映像信号の極性を、１つ前のフレームに供給する映像信号の極性と同じとし、前記長周期反転期間が経過した直後以外のフレームでは、任意の画素回路に対して現在のフレームに供給する映像信号の極性を、１つ前のフレームに供給する映像信号の極性と異ならせ、前記長周期反転期間は周期的に繰り返される期間であって、予め定められた２以上の数のフレームに相当する期間である、ことを特徴とする液晶表示装置。
【発明の効果】
【００１２】
本発明によれば、いずれかの画素が表示する階調が周期的に変化する現象を抑えることができる。
【図面の簡単な説明】
【００１３】
【図１】本発明の実施形態にかかる液晶表示装置の等価回路の一例を示す回路図である。
【図２】あるフレームにおいて各画素回路に供給される映像信号の極性の一例を示す図である。
【図３】他のフレームにおいて各画素回路に供給される映像信号の極性の一例を示す図である。
【図４】映像信号の極性パターンとゲート線駆動方式との関係の一例を示す図である。
【図５】ダブルゲートパルス方式においてゲート線に印加される走査信号の一例を示す図である。
【図６】シングルゲートパルス方式においてゲート線に印加される走査信号の一例を示す図である。
【図７】テスト用表示パターンの時間変化の一例を示す図である。
【図８】ダブルゲートパルス方式を用いる場合の画素電極の電圧の時間変化の一例を示す図である。
【図９】シングルゲートパルス方式を用いる場合の画素電極の電圧の時間変化の一例を示す図である。
【図１０】画素電極の電圧の時間変化の比較例を示す図である。
【図１１】図１０に示す比較例において生じるフラッシングの一例を説明する図である。
【発明を実施するための形態】
【００１４】
以下では、本発明の実施形態について図面に基づいて説明する。出現する構成要素のうち同一機能を有するものには同じ符号を付し、その説明を省略する。
【００１５】
液晶表示装置は物理的にはアレイ基板と、アレイ基板に対向する対向基板と、その間に封入される液晶と、アレイ基板に接続される集積回路やフレキシブル基板とを含んでいる。
【００１６】
図１は、本発明の実施形態にかかる液晶表示装置の等価回路の一例を示す回路図である。液晶表示装置は、タイミングコントローラＴＣと、映像信号線駆動回路ＤＤと、ゲート線駆動回路ＧＤと、複数の画素回路ＰＣと、複数の映像信号線ＤＬと、複数のゲート線ＧＬとを含む。複数の画素回路ＰＣは、アレイ基板上の表示領域ＤＡ内にｎ行×ｍ列のマトリクス状に配置されている。
【００１７】
複数の映像信号線ＤＬと、複数のゲート線ＧＬとは、アレイ基板上に形成されている。複数の映像信号線ＤＬは画素回路ＰＣの列と１対１で対応し、複数のゲート線ＧＬは、画素回路ＰＣの行と１対１で対応している。ここでは、ｉ列目の画素回路ＰＣに対応する映像信号線ＤＬをＤＬｉと記載し、ｊ行目の画素回路ＰＣに対応するゲート線ＧＬをＧＬｊと記載する。
【００１８】
各画素回路ＰＣは、画素スイッチＴＲと、画素電極ＰＸとを含む。表示領域ＤＡ上には図示しない対向電極が存在し、一定の電圧（以下ではコモン電圧Ｖｃと呼ぶ）が供給されている。そして、画素電極ＰＸと対向電極との間には液晶があり、画素容量を構成している。画素スイッチＴＲは薄膜トランジスタであり、ゲート電極とソース電極とドレイン電極とを有する。ゲート電極は対応するゲート線ＧＬに接続されており、ソース電極は画素電極ＰＸに接続されており、ドレイン電極は対応する映像信号線ＤＬに接続されている。なお、薄膜トランジスタには極性がなく、一般的にソース電極とドレイン電極とは印加される電圧に応じて呼ばれる便宜的なものである。ソース電極とドレイン電極との接続先が記載されたものと反対になっていても構わない。
【００１９】
タイミングコントローラＴＣは、外部から入力される映像データＩＭをデコードし、各画素回路ＰＣが表示する階調を示す階調データと、タイミング信号とを出力する。タイミング信号は、ゲート線ＧＬに走査信号を供給するタイミングや映像信号線ＤＬに映像信号を供給するタイミングを示す信号であり、水平同期信号、垂直同期信号、クロックなどを含む。
【００２０】
映像信号線駆動回路ＤＤには、複数の映像信号線ＤＬの一端が接続されている。映像信号線駆動回路ＤＤは、タイミングコントローラＴＣから入力される階調データやタイミング信号に基づいて、映像信号線ＤＬを介して各画素回路ＰＣに向けて映像信号を出力する。映像信号線駆動回路ＤＤは、１行目の画素回路ＰＣから順に、１水平期間１Ｈ（水平同期信号に対応する）ずつ映像信号を出力することを繰り返す。映像信号線駆動回路ＤＤは、ｎ行目の画素回路ＰＣに向けて映像信号を出力すると、所定の期間は出力を停止する。これにより１つのフレームＦＲＭが表示される。また映像信号線駆動回路ＤＤは、上述の方法で各画素回路ＰＣに映像信号を出力することを繰り返すことにより以降のフレームＦＲＭも表示させる。
【００２１】
ゲート線駆動回路ＧＤには、複数のゲート線ＧＬの一端が接続されている。ゲート線駆動回路ＧＤは、タイミングコントローラＴＣから入力される階調データやタイミング信号に基づいて、映像信号線駆動回路ＤＤが映像信号を出力するタイミングにあわせて必要な画素回路ＰＣの行に対応するゲート線ＧＬに走査信号を供給する。ゲート線ＧＬに走査信号が供給されると、そのゲート線ＧＬに対応する行の画素回路ＰＣに含まれる画素スイッチＴＲがオンになる。すると、その行の画素回路ＰＣの画素電極ＰＸに、映像信号線ＤＬに供給されている映像信号が供給される。
【００２２】
次に、映像信号線駆動回路ＤＤが供給する映像信号の極性について説明する。ここで、極性は、映像信号の電圧がコモン電圧Ｖｃより高いか否かにより定まるものであり、映像信号の電圧がコモン電圧Ｖｃより高いことを正極性と呼び、コモン電圧Ｖｃより低いことと負極性と呼ぶ。なお、以下ではコモン電圧Ｖｃが０であるとして説明する。
【００２３】
図２は、あるフレームＦＲＭにおいて各画素回路ＰＣに供給される映像信号の極性を示す図である。画素回路ＰＣに含まれる画素容量は、画素電極ＰＸに供給される映像信号に基づく電位差を記憶し、それに基づく階調を表示する。以下では、ある画素回路ＰＣに表現させる階調を示す電圧を有する映像信号をその画素回路ＰＣに供給される映像信号とよぶ。図２の画素電極ＰＸに「＋」の記号がついている画素回路ＰＣに供給される映像信号は、正極性の信号であり、図２の画素電極ＰＸに「−」の記号がついている画素回路ＰＣに供給される映像信号は、負極性の信号である。
【００２４】
例えば、映像信号線駆動回路ＤＤが供給する１行目１列目の画素回路ＰＣに供給される映像信号は正極性であり、その画素回路ＰＣの画素容量はその映像信号の電圧に基づく電位差を記憶している。ここで映像信号線駆動回路ＤＤは、正極性の映像信号が供給される画素回路ＰＣの上下左右にある画素回路ＰＣには正極性の映像信号を供給し、負極性の映像信号が供給される画素回路ＰＣの上下左右にある画素回路ＰＣには正極性の映像信号を供給する。ここでは、各画素回路ＰＣに映像信号を供給する図２に示すようなパターンを極性パターンＡと呼ぶ。
【００２５】
また映像信号線ＤＬに接続される画素回路ＰＣの列に着目すると、行が進むごとにその画素回路ＰＣに供給される映像信号の極性が反転している。したがって、図２の例では映像信号の極性が１水平期間１Ｈごと（映像信号の供給先の画素回路ＰＣが切り替わるごと）に反転している。このことをライン反転とよぶ。また、ある画素回路ＰＣの極性が左右の画素回路ＰＣの極性と反対になっていることをドット反転とよぶ。
【００２６】
図３は、他のフレームＦＲＭにおいて各画素回路ＰＣに供給される映像信号の極性を示す図である。図３と図２とでは、各画素回路ＰＣに供給される映像信号の極性が反転している。各画素回路ＰＣに映像信号を供給する図３に示すようなパターンを、以下では極性パターンＢと呼ぶ。表示領域ＤＡ内の画素回路ＰＣに映像信号を供給する際の極性のパターンは、この極性パターンＡと極性パターンＢの２種類となる。本実施形態にかかる液晶表示装置では、このパターンの出現の仕方に合わせてゲート線駆動回路ＧＤがゲート線ＧＬを駆動する方式（以下では「ゲート線駆動方式」という）を切替えることにより、周期的な階調の変化を防いでいる。
【００２７】
図４は、映像信号の極性パターンとゲート線駆動方式との関係の一例を示す図である。図４は表示対象となるフレームＦＲＭが変化するごとに極性パターンとゲート線駆動方式とがどのように変化するかについて示している。なお、１つのフレームＦＲＭを表示する期間をフレーム期間と呼ぶ。従来のゲート線駆動方式（図４の「従来」）では、全てのゲート線はシングルゲートパルス方式Ｓで駆動されていたが、本実施形態（図４の「改善方式」）では後述するようにダブルゲートパルス方式Ｄを含めた駆動を行う。
【００２８】
ここで、映像信号線駆動回路ＤＤが出力する映像信号が示す極性パターンは、出力対象となるフレームＦＲＭが次に進むごとに反転する信号であるフレーム反転信号Ｓｆと、例えば６０フレームなどに相当する長周期反転期間ＬＰ１，ＬＰ２が経過するごとに反転する信号である長周期反転信号Ｓｌとの排他的論理和に基づいて決められる。ここで、フレーム反転信号Ｓｆや長周期反転信号Ｓｌの反転とは、ハイレベルの電圧（＋）とローレベルの電圧（−）との間で電圧が切り替わることである。例えば、フレーム反転信号Ｓｆと長周期反転信号Ｓｌとの電圧がどちらもハイレベルまたはローレベルなら映像信号線駆動回路ＤＤは極性パターンＡを示す映像信号を出力し、一方がハイレベルで他方がローレベルならば映像信号線駆動回路ＤＤは極性パターンＢを示す映像信号を出力する。
【００２９】
すると、長周期反転期間ＬＰ２について、その長周期反転期間ＬＰ２が開始した直後のフレームＦＲＭの極性パターンは、その前のフレームＦＲＭの極性パターンと同じになる。また開始した直後のフレームＦＲＭより後のフレームＦＲＭの極性パターンは、その前のフレームＦＲＭの極性パターンと異なる。これは、他の長周期反転期間においても同じである。
【００３０】
また、ゲート線駆動方式はシングルゲートパルス方式Ｓとダブルゲートパルス方式Ｄとがある。ゲート線駆動回路ＧＤは、１つ前のフレームＦＲＭの極性パターンと現在のフレームＦＲＭの極性パターンとが異なる場合には、シングルゲートパルス方式Ｓでゲート線ＧＬを駆動する。この場合には、ある画素回路ＰＣが表示する階調を示す映像信号の極性が１つ前のフレームＦＲＭと現在のフレームＦＲＭとで変化する。一方、１つ前のフレームＦＲＭの極性パターンと現在のフレームＦＲＭの極性パターンとが同じ場合には、ダブルゲートパルス方式Ｄでゲート線ＧＬを駆動する。この場合には、ある画素回路ＰＣが表示する階調を示す映像信号の極性が１つ前のフレームＦＲＭと現在のフレームＦＲＭとで同じになる。
【００３１】
図５は、ダブルゲートパルス方式Ｄにおいてゲート線ＧＬに印加される走査信号の一例を示す図である。図５は、極性パターンと、ある映像信号線ＤＬに印加される映像信号と、ゲート線ＧＬ１〜ＧＬｎに印加される走査信号と、の時間推移を示している。図５で１つの極性パターンＡが続く期間が１フレームＦＲＭに相当する。
【００３２】
ダブルゲートパルス方式Ｄでは、ゲート線駆動回路ＧＤは、画素回路ＰＣのある行に対応するゲート線ＧＬに対して、その行に対する映像信号が映像信号線駆動回路ＤＤから供給される水平期間１Ｈと、その直前の水平期間１Ｈとに走査信号（具体的にはハイレベルの電圧である）を供給する。なお、映像信号線駆動回路ＤＤは、１行目の画素回路ＰＣに対する映像信号を供給する直前の１水平期間１Ｈに、１行目の画素回路ＰＣに対する映像信号と極性の異なるダミーの映像信号（図５のライン０に相当する）を供給する。
【００３３】
図６は、シングルゲートパルス方式Ｓにおいてゲート線ＧＬに印加される走査信号の一例を示す図である。図６は、極性パターンと、ある映像信号線ＤＬに印加される映像信号と、ゲート線ＧＬ１〜ＧＬｎに印加される走査信号と、の時間推移を示している。図６で１つの極性パターンＢが続く期間が１フレームＦＲＭに相当する。
【００３４】
シングルゲートパルス方式Ｓでは、ゲート線駆動回路ＧＤは、画素回路ＰＣのある行に対応するゲート線ＧＬに対して、その行に対する映像信号が映像信号線駆動回路ＤＤから供給される水平期間１Ｈのみに走査信号のハイレベルの電圧を供給する。
【００３５】
なお、ダブルゲートパルス方式Ｄにおいて、ある行の画素回路ＰＣに走査信号を供給する期間のうち、その行と異なる行の画素回路ＰＣの階調を示す映像信号が供給される期間は、直前の水平期間１Ｈでなくてもよい。映像信号の極性が、その行に対する映像信号の極性と反対であれば、例えば３つ前の行に対する映像信号が出力される水平期間１Ｈであってもよい。
【００３６】
次に、上述のゲート線ＧＬの駆動方式による効果について説明する。図７はテスト用表示パターンの時間変化の一例を示す図である。この表示パターンは、１番目に表示するフレームＦＲＭ１では縦４ドット×横１ドットの黒帯が横方向に１ドットおきに並んでおり、表示するフレームＦＲＭ２、フレームＦＲＭ３、フレームＦＲＭ４と進むに従って、１ドットずつ横方向にスクロールしていくものである。この表示パターンでは、長周期反転信号Ｓｌを用いなければ焼き付き現象が発生し、また常にシングルゲートパルス方式Ｓを用いると後述するフラッシングが発生する。点Ｐ１は常に最大の輝度であり、点Ｐ２はフレームＦＲＭが進むごとに輝度が最大から最小または最小から最大に変化する。
【００３７】
図８は、ダブルゲートパルス方式Ｄを用いる場合の画素電極ＰＸの電圧Ｖｐの時間変化の一例を示す図である。この画素電極ＰＸはｊ行目ｉ列目の画素回路ＰＣに含まれるものであり、より具体的には点Ｐ１などに対応する画素回路ＰＣにおける例である。ダブルゲートパルス方式Ｄを用いる場合は、前のフレームＦＲＭと現在のフレームＦＲＭとの間で極性パターンが同じである。従って、本図ではゲート線駆動回路ＧＤが走査信号を供給する前の電圧Ｖｐの極性とこのフレームＦＲＭで映像信号線駆動回路ＤＤが出力する映像信号の極性とが同じになる。
【００３８】
図８の例では、この画素回路ＰＣに対する映像信号を映像信号線駆動回路ＤＤが供給する直前の水平期間１Ｈに走査信号が供給され、映像信号線ＤＬｉと画素電極ＰＸとが電気的に接続され、映像信号の電荷が画素電極ＰＸと対向電極とで作られる容量に充電されていく。この水平期間１Ｈが終わる際には電圧Ｖｐの極性は映像信号と同じであるが、その充電が完全には行われないため電圧Ｖｐの絶対値は映像信号より小さくなる。そして、その次の水平期間１Ｈに供給される映像信号の極性がさらに反対になり、再び容量に映像信号の電荷が充電されていく。その結果、走査信号と映像信号の供給が終わるタイミングでは、画素電極ＰＸの電圧Ｖｐ（画素回路ＰＣに表示階調を決める電圧であるので表示電圧Ｖｄと記載する）の極性は画素回路ＰＣの階調を示す映像信号と同じであるが、表示電圧Ｖｄの絶対値はその映像信号より小さくなる。
【００３９】
図９は、シングルゲートパルス方式Ｓを用いる場合の画素電極ＰＸの電圧Ｖｐの時間変化の一例を示す図である。こちらも点Ｐ１の場合の例である。シングルゲートパルス方式Ｓを用いる場合は、前のフレームＦＲＭと現在のフレームＦＲＭとの間で極性パターンが異なる。従って、本図ではゲート線駆動回路ＧＤが走査信号を供給する前の電圧Ｖｐの極性とこのフレームＦＲＭで映像信号線駆動回路ＤＤが出力する映像信号の極性とが異なる。
【００４０】
図９の例では、この画素回路ＰＣに対する映像信号を映像信号線駆動回路ＤＤが供給する水平期間１Ｈに走査信号が供給され、映像信号の電荷が画素電極ＰＸと対向電極とで作られる容量に充電されていく。そして、その水平期間１Ｈが終わるタイミングの表示電圧Ｖｄの極性は映像信号の極性と同じであるが、表示電圧Ｖｄの絶対値はその映像信号より小さくなる。
【００４１】
このように、ダブルゲートパルス方式Ｄでは画素回路ＰＣに走査信号が供給される期間のうち前半に相当する水平期間１Ｈに、画素電極ＰＸの電圧Ｖｐの極性がその後に入力される映像信号と反対の極性となる。それにより、極性パターンが前のフレームＦＲＭから変化しない場合でも、画素回路ＰＣの状態は、極性パターンが変化する場合とほぼ同じとなる。これにより、この方法を用いない場合よりフラッシングを抑えることが可能になる。
【００４２】
一方、極性パターンが変化しないのにシングルゲートパルス方式Ｓを用いると、その場合の画素電極ＰＸの表示電圧Ｖｄｏは極性パターンが変化する場合と異なってしまう。図１０は、画素電極ＰＸの電圧Ｖｐの時間変化の比較例を示す図である。これは、極性パターンが変化しないにもかかわらずシングルゲートパルス方式Ｓを用いた場合の例である。この場合、映像信号の供給が開始されるタイミングにおける画素電極ＰＸの電圧とその映像信号との極性が同じであり、その電位差が小さくなる。このため、水平期間１Ｈの終わりにおける画素電極ＰＸの電圧Ｖｄｏは、図８や図９に示す場合より映像信号に近くなる。すると、このフレームＦＲＭと、他のフレームＦＲＭとで表示電圧に差が生じ、画素回路ＰＣが出力する表示階調が周期的に変化することになる。
【００４３】
図１１は、図１０に示す比較例において生じるフラッシングの一例を説明する図である。極性パターンの変化の有無にかかわらずゲート線ＧＬの駆動方式を変化させないと、長周期反転信号Ｓｌが切り替わった直後のフレームＦＲＭでは点Ｐ１における電圧Ｖｐ（Ｐ１）の絶対値がＶｄではなくＶｄｏになる。これにより、ノーマリーブラックの液晶の場合にはこのフレームＦＲＭで他のフレームＦＲＭより階調が明るくなり、フラッシングＦＬが発生する。なお、ノーマリーホワイトの液晶の場合はこのフレームＦＲＭが他のフレームＦＲＭより階調が暗くなり、やはりフラッシングが発生する。
【００４４】
なお、本発明はＩＰＳ方式の液晶表示装置にも、ＴＮ方式やＶＡ方式の液晶表示装置にも適用できる。これらでは画素電極ＰＸや対向電極に相当するものが存在する点で共通するからである。
【符号の説明】
【００４５】
ＩＭ  映像データ、ＴＣ  タイミングコントローラ、ＤＡ  表示領域、ＤＤ  映像信号線駆動回路、ＤＬ  映像信号線、ＧＤ  ゲート線駆動回路、ＧＬ  ゲート線、ＰＣ  画素回路、ＰＸ  画素電極、ＴＲ  画素スイッチ、ＦＲＭ  フレーム、ＬＰ１，ＬＰ２  長周期反転期間、Ｄ  ダブルゲートパルス方式、Ｓ  シングルゲートパルス方式、１Ｈ  水平期間、Ｐ１，Ｐ２  点、Ｖｃ  コモン電圧、Ｖｄ，Ｖｄｏ  表示電圧、Ｖｐ  画素電極の電圧、ＦＬ  フラッシング。
【図１】
2014178438.tif 000003
【図２】
2014178438.tif 000004
【図３】
2014178438.tif 000005
【図４】
2014178438.tif 000006
【図５】
2014178438.tif 000007
【図６】
2014178438.tif 000008
【図７】
2014178438.tif 000009
【図８】
2014178438.tif 000010
【図９】
2014178438.tif 000011
【図１０】
2014178438.tif 000012
【図１１】
2014178438.tif 000013